(57)【要約】【課題】容易に運搬できるサイズに分割が可能で、かつ組み立て後には単一のロゴスキーコイルとして機能させることができる衝撃電流検出器を提供すること。【解決手段】弾性変形可能な管状のケース５に、一端から他端に至るコイル６と、コイル６に挿通された導体７とを収容するとともに、ケース５の両端にコイル６の端部と導体７の端部が接続されたコネクタ４３，４を固定して構成された分割体２を、複数、各分割体２のコイル６、及び導体７が相互で直列接続となるように接続して構成されている。【選択図】図２
2005214819.tif 000002
【特許請求の範囲】
【請求項１】
弾性変形可能な管状のケースに、一端から他端に至るコイルと、前記コイルに挿通された導体とを収容するとともに、前記ケースの両端に前記コイルの端部と前記導体の端部が接続されたコネクタを固定して構成された分割体を、複数、前記各分割体のコイル、及び導体が相互で直列接続となるように接続して構成された衝撃電流検出器。
【請求項２】
前記分割体同士を所定数接続した状態で、隣接する一方の分割体の端部と、他方の分割体の端部には、それぞれ前記コイルと導体を接続するように結線されたコネクタと、前記コイルと導体を外部に引き出すケーブルが接続されたコネクタとを備えたケーブル接続具が接続されている請求項１に記載の衝撃電流検出器。
【請求項３】
前記コイルの出力端子にロゴスキーコイルとしてのインピーダンスよりも低い値のインピーダンス素子が接続されている請求項２に記載の衝撃電流検出器。
【請求項４】
前記インピーダンス素子が、前記ケーブル接続具に収容されている請求項３に記載の衝撃電流検出器。
【請求項５】
前記コネクタが雌雄形態として構成されている請求項１、または請求項２に記載の衝撃電流検出器。
【発明の詳細な説明】
【技術分野】
【０００１】
本発明は、大型構築物への落雷による衝撃大電流を検出するのに適した検出器に関する。
【背景技術】
【０００２】
落雷時に発生する衝撃大電流を検出するには、通常、同軸ケーブルの外周に多数巻きのコイルを一定のピッチで巻回し、同軸ケーブルの導体と多数巻回コイルとの同一端部を接続するとともに、各々の他端にリード線を接続して構成された検出コイル、いわゆるロゴスキーコイルを用い、この検出コイルを被測定電流が流れる導体と垂直となる平面に平行で、かつ被測定電流が流れる導体を貫通するように配置し、この検出コイルからの信号を積分することにより行っている。
【０００３】
一方、風力発電機が取り付けられる鉄塔に流れる衝撃電流を測定しようとすると、このような鉄塔は、半径が数メートルとなるため、検出コイルのこれに応じた大口径のものとなり、交通の便の悪い場所への搬送に困難が伴う。
このような問題を解消するため、特許文献１に見られるように所望の径を構成できるロゴスキーコイルを複数に分割して分割コイル体を構成し、それぞれの分割コイル体の出力をそれぞれ積分し、これらの積分信号を加算することが提案されている。
【特許文献１】特開平10-282154号公報
【発明の開示】
【発明が解決しようとする課題】
【０００４】
しかしながら、各分割コイル体の信号を積分する必要上、各分割コイル体と測定装置とをケーブルで接続するため測定装置の構造が複雑化したり、また各分割コイル体を被測定電流が流れる導体に適切に配置、固定することが困難であるという問題がある。
本発明はこのような問題に鑑みてなされたもので、その目的とするところは、容易に運搬できるサイズに分割が可能で、かつ組み立て後には単一のロゴスキーコイルとして機能させることができる衝撃電流検出器を提供することである。
【課題を解決するための手段】
【０００５】
すなわち、本発明はこのような課題を達成するために、弾性変形可能な管状のケースに、一端から他端に至るコイルと、前記コイルに挿通された導体とを収容するとともに、前記ケースの両端に前記コイルの端部と前記導体の端部が接続されたコネクタを固定して構成された分割体を、複数、前記各分割体のコイル、及び導体が相互で直列接続となるように接続して構成されている。
【発明の効果】
【０００６】
分割体を運送に便利なサイズに構成しても、所定数の分割体をコネクタにより接続、固定すると、複数の分割体が環状となるとともに、各分割体のコイル、及び導体が直列に一体に接続されてロゴスキーコイルとなる。
このため、分割体ごとに外部と接続するケーブルが不要となり、また被測定電流が流れる導体に適切に配置、固定することができる。
【発明を実施するための最良の形態】
【０００７】
図１は、本発明の衝撃電流検出器の一実施例を組み立て後の形態で示すものであって、この衝撃電流検出器１は、この実施例では４等分割体２、２、２，２として構成され、各分割体２はそれぞれの端部には雌雄形状のコネクタ３，４、この実施例ではプラグとレセプタルが固定されていて、これらコネクタ３，４により隣接する分割体２の一端２ａと、隣接する分割体２の他端２ｂとが同順となるように導電的、及び機械的に結合されている。
【０００８】
図２は、衝撃電流検出器を構成する分割体２の一実施例を、その端部の構造で示すものであって、弾性変形可能な材料からなる導電性材料からなる管状のケース５に、コイル６と内部空間に挿通された直線状の導体７とが収容されていて、コイル６の両端、及び導体７のそれぞれの端部が、及びケースがリード線９，１０を介して３極のコネクタ３、４の各ピンに接続されている。このケース５は、被測定体の周囲を環状に取り巻くことができる直径のリングを、所定数に分割した弧状に整形されている。
【０００９】
この実施例において、１つの分割体２のコネクタ３と、他の分割体のコネクタ４とを接続するというようにして順番に必要個数、この実施例では４つの分割体を３箇所で接続し、最後の１つのコネクタには、図３に示したようにその両端にやはり雌雄形状のコネクタ３’、４’が設けケーブル接続具１１を接続すると、各分割体２のコイル６、及び導体７が直列に接続されて全体として衝撃電流の流れる対象物を取り囲む１つのロゴスキーコイルとして機能する。
【００１０】
なお、このケーブル接続具１１は、図３に示したように一方のコネクタ３’にはコイル６と導体とを接続するリード１２を、また他方のコネクタ４’にはコイル６と導体７を外部に引き出すケーブル１３、１４、１５を接続して構成されている。
そして、コイル６の出力を外部機器に引き出すケーブル１３、１４にはインピーダンスマッチングを兼ねたロゴスキーコイルとしてのインピーダンスよりも低い値、たとえば５０Ω、または７０Ωのインピーダンス素子１７が接続されている。なお、インピーダンス素子１７は、ケーブル接続具１１に収容するのが望ましい。
【００１１】
このように分割体、及びケーブル接続具１１のコネクタ３、３’、４、４’を雌雄形態として構成しているため、接続ミスを防止することができる。また、ロゴスキーコイルとしての出力端子には、ロゴスキーコイルとしてのインピーダンスよりも低い値のインピーダンス素子１７が接続されているため、電流−時間積分の直線性、つまりダイナミックレンジを改善して大電流を高い精度で検出できるばかりでなく、外部雑音の回り込みを防止できる。
【００１２】
なお、この実施例においては、４分割構成としたが、サイズに応じて任意の数に分割しても同様の作用を奏することは明らかである。
【図面の簡単な説明】
【００１３】
【図１】本発明の衝撃電流検出器の一実施例を、分割体及びケーブル接続具を結合した状態で示す図である。
【図２】本発明の衝撃電流検出器を構成する分割体の一実施例を端部を拡大して示す図である。
【図３】ケーブル接続具の一実施例を示す図である。
【符号の説明】
【００１４】
１  衝撃電流検出器    ２  分割体    ３、３’、４，４’  コネクタ    ５  管状のケース    ６  コイル    ７  導体    １１  ケーブル接続具    １３〜１５  外部接続用のケーブル    １７  インピーダンス素子
【図１】
2005214819.tif 000003
【図２】
2005214819.tif 000004
【図３】
2005214819.tif 000005